(57)【要約】【課題】髪型が乱れず、蒸れにくいように帽子を被ることができる帽子支持具を提供する。【解決手段】頭部のうち、帽子によって被覆される部分内に設置され、帽子着用時には該帽子と頭部の間に位置することとなる帽子支持具であって、可撓性シート本体の片面に多数のスペーサー突起が一体的に構成されており、また該可撓性シート本体は、中央に向かって概ね狭くなる切欠部が複数設けられている、或いは、上記スペーサー突起に相当する部分を別体としてシート材部分に固定するようにする。【選択図】　図１
2004019028.tif 000002
【特許請求の範囲】
【請求項１】
頭部のうち、帽子によって被覆される部分内に設置され、帽子着用時には該帽子と頭部の間に位置することとなる帽子支持具であって、可撓性シート本体の片面に多数のスペーサー突起が一体的に構成されており、また該可撓性シート本体は、中央に向かって概ね狭くなる切欠部が複数設けられているものであることを特徴とする帽子支持具。
【請求項２】
頭部のうち、帽子によって被覆される部分内に設置され、帽子着用時には該帽子と頭部の間に位置することとなる帽子支持具であって、可撓性シート材と、該可撓性シートの片面に設けられる多数のスペーサー材とにより構成されており、また該可撓性シート材は、中央に向かって概ね狭くなる切欠部が複数設けられているものであることを特徴とする帽子支持具。
【発明の詳細な説明】
【０００１】
【産業上の利用分野】
本発明は、帽子支持具に関するものである。
【０００２】
【従来の技術】
帽子は、日光、特に紫外線を遮断するため、或いは、ファッションのために着用されている。女性用のファッション帽子、外出用の帽子、またゴルフ用帽子、屋外作業用の帽子等である。
【０００３】
このような帽子を着用することによって、実際大きな効果があり、特に夏場等は熱射病等の防止にもなり外出には必須というべきものである。
【０００４】
【発明が解決しようとする課題】
しかしながら、帽子は落ちないようにきっちりと装用するものであるため、頭髪を押さえつける。このため、どうしても髪型が乱れるばかりか、帽子を被った箇所だけ凹み、頭髪のボリューム感が損なわれてしまうことも多い。女性では美容室でセットした後等は絶対と言っていいほど、帽子は被らない。また、男性であっても少し長くしている者はどうしても輪のような型が付く。よって、このような理由から健康を考慮すれば着用すべきであったのにも拘わらず、またファッション的には綺麗な帽子を被りたいにもかかわらず、被らなかった人が多かったのである。
【０００５】
また、被って固定するものであるが故に、多くの帽子は頭部表面を通気性を無視するかのように覆ってしまい、日除けはできているが、汗で蒸れてしまうので快適性には欠けるという結果になっていた。
【０００６】
【課題を解決するための手段】
以上のような状況に鑑み、本発明者は鋭意研究の結果本発明帽子支持具を完成したものであり、その特徴とするところは、「頭部のうち、帽子によって被覆される部分内に設置され、帽子着用時には該帽子と頭部の間に位置することとなる帽子支持具であって、可撓性シート本体の片面に多数のスペーサー突起が一体的に構成されており、また該可撓性シート本体は、中央に向かって概ね狭くなる切欠部が複数設けられている点」、或いは、「頭部のうち、帽子によって被覆される部分内に設置され、帽子着用時には該帽子と頭部の間に位置することとなる帽子支持具であって、可撓性シート材と、該可撓性シートの片面に設けられる多数のスペーサー材とにより構成されており、また該可撓性シート材は、中央に向かって概ね狭くなる切欠部が複数設けられている点」にある。
【０００７】
即ち本発明帽子支持具は、多数のスペーサー突起（又はスペーサー材）を伴った可撓性シートを帽子内面に添うように挿入しておくことにより、帽子内面と頭皮の間に該スペーサー突起（又はスペーサー材）分の空隙層が形成されるので、髪型を変形させてしまうような押圧力を髪全体に与えることがなく、またこの空隙があるため発汗による蒸れも軽減するというものである。また本発明は、この空隙部分形成のためのスペーサーが本体部分と一体であるのか別体であるのかによって、各部名称を変えそれぞれ独立した発明として扱っているが、この点を除くと両発明は異なるものではない。そこで以下しばらくはスペーサーと本体が別体という構造を基本に説明を続ける。
【０００８】
可撓性シートは、頭部の形状に容易に添うような可撓性を有するシートでありその材質は問わない。但し、後述するスペーサー材を保持するに足る形状保持力を有するものであること、炎天下の帽子の内部に配置しても問題のない耐熱性を有するものであること、汗に濡れても変質しにくい化学的安定性を有していること、等が好ましいことはいうまでもない。
またこの可撓性シートの全体形状は単純な形状、例えば円盤形状やお椀形といった形状、ではなく「中央に向かって概ね狭くなる切欠部が複数設けられている」ものである。この切欠部は、製造過程の中に実際に「切欠」という工程が存在する必要はないものである。従って例えばプラスチック一体成形においては、切欠部は仮想の部材ということになる。また、「中央に向かって概ね狭くなる切欠部」というのは、切欠部を持たない１枚のシートを切除してゆく際にその切り取った部分を見ると、シートの中央に向かって概ね先細りしてゆくような形状をしたもの、を指す。切り取り部分の典型的な形状は三角形であり、例えば円形シートから複数の三角形を、いずれの三角形も接することも重なることもないように切除すると全体形状が放射状になり、本発明に適った可撓性シートが得られる。但し本発明においてその「切欠」の形状は三角形に限るものではなく、切欠部分の全体を見れば中央に向かって狭くなっていれば良いものとする。切欠部分を有すること、及びシートが可撓性を有することによりさまざまな頭部形状に応じてその全体形状を変えることができる。また、本発明支持具を取り付ける帽子の材質や形状にもよるが、可撓性シートはしっかりと頭部に固定されているにもかかわらず、帽子が可撓性シート上を容易に滑ってしまい所期の目的を達成できなくなるということがないように、防滑性を付与するための工夫を施しても良い。
【０００９】
スペーサー材は、可撓性シートの片面（頭部に対向する面）に複数設けられる部材であって、頭髪の全体形状を変えてしまうほど押圧しすぎないように、帽子（詳しくは帽子内側に位置する可撓性シート）が頭皮から一定距離隔てるためのものである。この目的を適えるためには、頭髪を貫通することとなるスペーサー材は、個々の形状については細い（断面積が小さい）方が、個数（単位面積当たりの個数）については少ない方が、また一定距離を保持するという意味ではその素材は固い方が好ましいということになる。しかし、装用感について、或いは転倒その他で頭部に衝撃を受けた時の安全性について見てみると、上とは全く逆である方が好ましい。本発明者が種々試作実験した範囲では、高さ１０〜３０ｍｍ程度、先端部分の径　５ｍｍ程度、そしてわずかにゴム状弾性を示す表面が平滑なプラスチックより成るスペーサー材を、１５〜２０個程度配置して成る帽子支持具が好適であった。
【００１０】
スペーサー材の可撓性シートへの取設方法は、接着、熱融着、ネジ留め等々どのような形態であっても良い。破損時の交換が容易であればなお好適である。しかし本発明はこれらに限定するものではないし、他の発明であるところの一体成形の場合にはスペーサー材の取設の形態に関する工夫自体が無意味である。
【００１１】
【発明の実施の形態】
次に本発明を図面に示す実施の形態に基づいてより詳細に説明する。
【００１２】
図１は、本発明に係る帽子支持具１（以下「本発明支持具１」という）の一例を示すものであり、本例の本発明支持具１はポリプロピレン製の一体成形体であり、可撓性シート本体２の表面に多数（図では１５個）のスペーサー突起３を有するという構造のものである。可撓性シート２は、概ね放射状と言える複雑な形状をしているが、円形のシートを切除した形状であると仮定した場合その切除部分である切欠部４の形状は、いずれも該円形の中心に向かって概ね先細りしたような形のものである。
【００１３】
可撓性シート本体２のこの形状は、図２（ａ）のような典型的な放射状形状とした場合にはスペーサー突起３同士の間隔が、同図（ｂ）のように実際に頭部に装用したとき周縁付近同士の間隔と中央付近同士の間隔とが違いすぎるため、これを防ぐために図１の如き形状としている。但し、突起同士の間隔をできるだけ平均化するという工夫は、本発明に不可欠のものではないので本図（図２）の如き形状も本発明に属するものである。
【００１４】
またスペーサー突起３は、図３に示すように端部が丸くなった円錐台の如き形状のもので、高さｈが約２０ｍｍ、上端付近の径ａが約５ｍｍ、下端付近の径ｂが約１０ｍｍのものである。なお図示は省略するが、このスペーサー突起３の大きさは一定である必要はなく、例えば中央付近に比べて周縁部分のスペーサー突起３は低くなるようにするといったことも、帽子の種類や髪型によっては好ましい場合がある。またこの突起は、帽子を被る時には髪内部に挿入され、帽子を取る時には髪内部から引き抜かれるものであるので、毛髪を傷めることも髪型をこわすこともないように出し入れできるような構造であれば、本図の如き形状でなくともよいものとする。
【００１５】
なお図示はしないが、スペーサー突起３を一体成形によるのではなくスペーサー材として別部材とし、可撓性シート体に一つずつ取設するという構造のものとしても良い。そうすれば頭髪の量が多い場合や大きくボリュームのある髪型の場合にスペーサー材を交換することで対応できるし、スペーサー材が本来太さの割に長さ（高さ）の大きいものであるため破損しやすいわけであるがその時の補修が容易であるという利点を有している。
【００１６】
【発明の効果】
以上詳細に説明した本発明には次のような大きな効果がある。
（１）　帽子が頭髪を押圧しないため、髪型が乱れない。
（２）　頭部に添わせるに当たり、切欠を有しているため種々の帽子や髪型に対応できる。
（３）　安価で簡単に帽子に付けることができるため、帽子を被ることが多くなり、紫外線防止等健康に役立つ。
（４）　帽子と頭部の間に空間ができるため、空気の流通があり、蒸れ防止にもなる。
（５）　頭部を蒸れや押圧から防止することによって、頭髪の抜け防止にもなると考えられる。
（６）　複数の突起によって頭部圧迫点も複数となり圧力が分散される形となるため、違和感を覚えることなく快適に装用できる。
【図面の簡単な説明】
【図１】本発明に係る帽子支持具の一例を示す斜視図である。
【図２】（ａ）（ｂ）は、可撓性シート本体の形状を説明するための図面であり、同図（ａ）は平面図、（ｂ）は使用状態の側面図である。
【図３】スペーサー突起の形状を示すための、一部を断面した概略斜視図である。
【符号の説明】
１　本発明に係る帽子支持具
２　可撓性シート本体
３　スペーサー突起
４　切欠部
【図１】
2004019028.tif 000003
【図２】
2004019028.tif 000004
【図３】
2004019028.tif 000005